Podtech/llm-jp-corpus-v4-ja_patent huggingface dataset:
(57)【要約】【課題】重量長尺ロールの保管不備と保管不備に伴う作業効率の悪さの改善及び作業環境の改善と保全。【解決手段】重量長尺ロールの保管具を用いることにより、重量長尺ロールの品質保持と管理及び重量長尺ロールの交換の簡易化が作業効率の向上と作業環境の改善及び保全に貢献する。【選択図】  図６
0003118980.tif 000002
【実用新案登録請求の範囲】
【請求項１】
キャスターを取り付けた土台（Ａ）に２本の支柱（Ｂ−１、Ｂ−２）と１本の支柱（Ｃ）を取り付け、Ｂ−１、Ｂ−２各々に６箇所の開口を設け該開口にパイプ（Ｄ）を取り付け差し込み可能とし、支柱（Ｃ）に６箇所の開口設け該開口に固定金具を取り付け、固定金具（Ｇ）１本につき左右に開く２枚の保持具（Ｈ１〜１２）を備え、重量長尺ロールを差し込んだパイプ（Ｄ）の先端を支え重量長尺ロールの保管を可能とした保管具。
【請求項２】
支柱（Ｃ）に取り付けられた固定金具（Ｇ）を保持具（Ｈ１〜１２）は前後にスライドし（図５、６）、長尺ロールの出し入れを容易にする。
【請求項３】
保持具（Ｈ１〜１２）には溝（Ｉ）付けパイプ（Ｄ）をそれぞれ支える役割りを持つ。
【考案の詳細な説明】
【考案の詳細な説明】
【技術分野】
【０００１】  本考案は、重量長尺ロールの品質を劣化させることなく保護・保管し、かつ作業効率の向上と作業環境の改善ならび安全を推進する保管具である。
【背景技術】
【０００２】  重量長尺ロールを交換する度に、不使用の長尺ロールを立て掛けたり、床に横倒しのままやダンボール箱に入れて保管しなければならない。
【考案が解決しようとする課題】
【０００３】  重量長尺ロールを床に横倒しのままやダンボールに入れて立てかけて保管する場合、皺が寄ったり傷をつけ長尺ロールに損傷を与える。この場合の作業手順も、長尺ロールをビニール袋に入れ、左右の穴にストッパーをはめ込み、ダンボール箱に収める、という非効率な工程である。前述の欠点を解決しようとするものと作業環境の改善と保全を図るものである。
【課題を解決するための手段】
【０００４】  本考案は、長尺ロールの保管具を使うことにより、ビニール袋に入れた長尺ロールを、そのまま横に伸びたパイプに差し込み、パイプの先端を保持具（Ｈ）の溝（Ｉ）に収め下から支えることにより容易に、しかも一人の労力のみで保管できる方法であり、各種長尺ロールの品質保持のみならず１２本に及ぶ重量長尺ロールを保管することが出来き、作業効率の向上と作業環境の改善並びに保全を図ることが出来る。
【考案を実施するための最良の形態】
【０００５】  図１〜図３において土台（Ａ）、支柱（Ｂ−１，２、Ｃ）部分は素材である鉄に塗装を施し、パイプ（Ｄ）はステンレス、ビスは鉄の六角ビス（Ｅ）を用いてパイプを支柱（Ｂ−１，２）に固定させる。キャスター（Ｆ）はストッパー付きである。支柱（Ｃ）に取り付けた固定金具（Ｇ）に差し込まれた保持具（Ｈ１〜Ｈ１２）を、使用時には水平に持ち上げ、コの字型の部分を支柱（Ｃ）スライドしてはめ込み固定させる。（図５，６）
【実施例】
【０００６】  以下、添付図面に従って実施例を説明する。
【考案の効果】
【０００７】  上述のように、本考案の重量長尺ロール保管具を用いることにより、長尺ロールの品質保持と作業効率の向上強化及び作業環境の改善と保全を図ることが出来るものである。
【図面の簡単な説明】
【０００８】
【図１】重量長尺ロール保管具全体斜視図
【図２】重量長尺ロール保管具全体側面図
【図３】重量長尺ロール保管具正面図
【図４】保持具図
【図５】保持具を取り付けた支柱（Ｃ）で、保持具不使用時の状態の図
【図６】保持具を使用時の支柱（Ｃ）に固定させた状態の図
【図７】支柱（Ｃ）の要部斜視図  図７−１  斜視図  図７−２  正面図  図７−３  上部から見た図
【符号の説明】
【０００９】  Ａ    キャスター付き土台
Ｂ    支柱（Ｂ−１、Ｂ−２）
Ｃ    支柱
Ｄ    パイプ
Ｅ    六角ビス
Ｆ    キャスター（ストッパー付き）
Ｇ    固定金具
Ｈ    保持具（Ｈ−１〜１２）
Ｉ    保持具の溝
【図１】
0003118980.tif 000003
【図２】
0003118980.tif 000004
【図３】
0003118980.tif 000005
【図４】
0003118980.tif 000006
【図５】
0003118980.tif 000007
【図６】
0003118980.tif 000008
【図７】
0003118980.tif 000009
【手続補正書】
【提出日】平成17年8月30日(2005.8.30)
【手続補正１】
【補正対象書類名】実用新案登録請求の範囲
【補正対象項目名】全文
【補正方法】変更
【補正の内容】
【実用新案登録請求の範囲】
【請求項１】
キャスターを取り付けた土台（Ａ）に２本の支柱（Ｂ−１、Ｂ−２）と１本の支柱（Ｃ）を取り付け、２本の支柱（Ｂ−１、Ｂ−２）各々に６箇所の開口を設け該開口にパイプ（Ｄ）を取り付け差し込み可能とし、支柱（Ｃ）に６箇所の開口を設け該開口に固定金具を取り付け、固定金具（Ｇ）１本につき左右に開く２枚の保持具（Ｈ１〜１２）を備え、重量長尺ロールを差し込んだパイプ（Ｄ）の先端を支え重量長尺ロールの保管を可能とした保管具。
【請求項２】
支柱（Ｃ）に取り付けられた固定金具（Ｇ）を保持具（Ｈ１〜１２）は前後にスライド（図５、６）し、長尺ロールの出し入れを容易に構成したことを特徴とする請求項１記載の重量長尺ロール保管具。
【請求項３】
保持具（Ｈ１〜１２）には溝（Ｉ）を付け、パイプ（Ｄ）をそれぞれ支える役割りを持たせたことを特徴とする請求項１記載の重量長尺ロール保管具。
【手続補正書】
【提出日】平成17年11月4日(2005.11.4)
【手続補正１】
【補正対象書類名】実用新案登録請求の範囲
【補正対象項目名】全文
【補正方法】変更
【補正の内容】
【実用新案登録請求の範囲】
【請求項１】
キャスターを取り付けた土台（Ａ）に２本の支柱（Ｂ−１、Ｂ−２）と１本の支柱（Ｃ）を取り付け、２本の支柱（Ｂ−１、Ｂ−２）各々に６箇所の開口を設け該開口にパイプ（Ｄ）を取り付け差し込み可能とし、支柱（Ｃ）に６箇所の開口を設け該開口に固定金具を取り付け、固定金具（Ｇ）１本につき左右に開く２枚の保持具（Ｈ１〜１２）を備え、重量長尺ロールを差し込んだパイプ（Ｄ）の先端を支え重量長尺ロールの保管を可能とした保管具。
【請求項２】
支柱（Ｃ）に取り付けられた固定金具（Ｇ）を保持具（Ｈ１〜１２）は前後にスライドし、長尺ロールの出し入れを容易に構成したことを特徴とする請求項１記載の重量長尺ロール保管具。
【請求項３】
保持具（Ｈ１〜１２）には溝（Ｉ）を付け、パイプ（Ｄ）をそれぞれ支える役割りを持たせたことを特徴とする請求項１記載の重量長尺ロール保管具。
(57)【要約】【課題】ケージの一側面に収納空間を設けてあり、この収納空間には、餌やその他のペット用品を収納することができるため、ペット用品の収納に役立つと同時に、ペットの世話をする際の利便性が高い収納機能を持つペット用ケージを提供する。【解決手段】ペット用ケージ１の側面に収納空間３が設けられ、その収納空間３には引き出し４があり、その引き出し４を利用し、ペットの餌やケア用品が収納できることにより、ペット用品の収納に役立つと同時にペットの世話をする際の利便性が高いことを特徴とする収納機能を持つペット用ケージ。【選択図】図１
0003118942.tif 000002
【実用新案登録請求の範囲】
【請求項１】
ペット用ケージの側面に収納空間が設けられ、その収納空間には引き出しがあり、その引き出しを利用し、ペットの餌やケア用品が収納できることにより、ペット用品の収納に役立つと同時にペットの世話をする際の利便性が高いことを特徴とする収納機能を持つペット用ケージ。
【請求項２】
収納空間にはふたがあり、ふたの下が収納空間になっていることを特徴とする請求項１に記載の収納機能を持つペット用ケージ。
【考案の詳細な説明】
【技術分野】
【０００１】
本考案は収納機能を持つペット用ケージに関する。本考案のペット用ケージはペットを飼う際に使用される。
【背景技術】
【０００２】
従来のペット用ケージは、四角いスチール製の檻（おり）の形をしたものがほとんどであり、扉を開閉してペットを出し入れするようになっている。
【考案の開示】
【考案が解決しようとする課題】
【０００３】
従来のペット用ケージは、ただ、ペットがいなくなったり、事故に遭ったりしないように、ペットをケージの中に入れてその行動範囲を制限するだけの目的に使用された。ペットを飼う時には、餌やその他のペット用品（例えば、首輪、リード、グルーミング用品、ケア用品等）が欠かせない。しかしながら、前述のペット用品はケージとは別々に収納され、ケージには何ら収納空間がないため、集中して管理することができず、ペットケアの際に不便である。
【課題を解決するための手段】
【０００４】
本考案の収納機能を持つペット用ケージは、ケージの一側面に収納空間を設けてある。この収納空間には、餌やその他のペット用品を収納することができる。したがって、ペット用品の収納に役立つと同時に、ペットの世話をする際の利便性が高い。
【考案を実施するための最良の形態】
【０００５】
本考案の一実施例によるペット用ケージの構造は以下の通りである。ペット用ケージ１の三つの側面にはスチール製のおり２が取り付けられている。ペット用ケージ１の上下の面にはスチール製のおり２は取り付けられていない。ペット用ケージ１の側面には収納空間３があって、その収納空間３の上方にはふた４がある。ふた４の下は保存空間で、下方には引き出し５が設けてある。収納空間は複数の引き出し５を持つ構造にすることも可能である。この実施例は図４を参照いただきたい。
【０００６】
ペット用ケージに収納空間３が追加された構造にすることで、餌やその他のペット用品、例えば、首輪、リード、グルーミング用品、ケア用品等が、収納空間３のふた４の下にある収納部分内、あるいは、引き出しの中に保管できるため、集中した管理ができて便利であり、ペットのケアをする際にもすぐ手元に餌やケア用品があるので非常に便利である。
収納機能を持つペット用ケージは、ケージの一側面に収納空間を設けてある。この収納空間には、餌やその他のペット用品を収納することができる。したがって、ペット用品の収納に役立つと同時に、ペットの世話をする際の利便性が高いという効果がある。
【図面の簡単な説明】
【０００７】
【図１】本考案の一実施例によるペット用ケージを示す斜視図である。
【図２】本考案の一実施例によるペット用ケージの使用時の状態を示す斜視図である。
【図３】本考案の一実施例によるペット用ケージを示す正面図である。
【図４】本考案のもう一つの実施例によるペット用ケージを示す模式図である。
【符号の説明】
【０００８】
１  ペット用ケージ、２  スチール製のおり、３  収納空間、４  ふた、５  引き出し
【図１】
0003118942.tif 000003
【図２】
0003118942.tif 000004
【図３】
0003118942.tif 000005
【図４】
0003118942.tif 000006
(57)【要約】【課題】  本考案は屋根の棟瓦に金属製等の杭を打ち込んで地震や台風など自然災害等による飛散・脱落・落下による物件事故や人身事故を防止する。【解決手段】  本考案は棟瓦の中心に下穴を貫通させ小屋組みのＩの木製棟木にＡの金属製等の杭（硬質で曲がりにくい材質）を打ち込んで脱落落下を防止する。【選択図】    図１
0003118994.tif 000002
【実用新案登録請求の範囲】
【請求項１】
屋根瓦の棟本体に金属製等の杭を貫通させ小屋組の木製棟木に打ち込む事で積み木状態の棟に不動の心棒を形成させ、Ｋのシリコンコーキングなどにより積み木状態の棟が飛散したり崩れる事を防ぎ、Ｌのシリコンコーキング（弾性力と接着力）で、地瓦と１段目のノシの狭い部分に団子状に充分に詰め物をすることによって棟の中の赤土が砕けてしまっても棟全体がひとつの塊を形成し、飛散・落下を防ぐことができる。
特に既存の変形した棟や危険な部位でも簡単に補強することが可能で棟の取り直しよりも簡単ですばやく安く、大量のゴミを出すことも無いすばらしい特徴を備えた工法である。
【請求項２】
【考案の詳細な説明】
【技術分野】
【０００１】    本考案は瓦屋根棟部分に強固な杭を設けた棟の飛散・落下防止に関するものである。
【背景技術】
【０００２】    木造などの瓦屋根において、新築・新規の屋根工事においては棟の内部補強金物など存在しているものの既存の棟は依然不安定なものが非常に多く、地震は勿論・台風にさえも耐え切らない危険な状況の屋根が多く見受けられる
【考案の開示】
【考案が解決しようとする課題】
【０００３】    棟の修理補強の為の棟の解体撤去後の棟取り直し工事は経済的負担も大きくまた、労働力負担も多大であり。せっかく取り直しても旧態依然とした工事も多く、再度の地震や繰り返される幾度もの地震には不安も残り、工事後のゴミの発生も多大である。
本考案の、棟杭（瓦屋根棟落下防止用）工事をする事により棟全体を一体化する事になり前述のさまざまな欠点を解決しようとするものである
【課題を解決するための手段】
【０００４】  本考案は既存の棟を撤去することなく杭を打ち込むこと等で全体的にひとつの塊となって落下防止を可能にし、且つ、シリコンコーキングで接着する事によって風による飛散や雨漏り防止。繰り返しの地震による棟の脆弱化の問題などを解決しているし、ゴミも出ない。
【考案の効果】
【０００５】    上述の様に、本考案の棟杭は台風による飛散防止は勿論、見た目のデザイン性も損なうことなく、スピーディ且つ撤去工事が無いので塵芥処分場の問題もなし、陶器瓦などの資源も必要としないので環境保護にも役立つ。
【考案を実施するための最良の形態】
【０００６】  棟の中心に、約１ｍ間隔で下穴（コンクリートギリでＭ１０．５）を開け次に、Ｉの木製棟木に下穴（Ｍ９の鉄工ギリ）を開けＡのステンレス製などの寸切りボルト（Ｍ１０）を打ち込むか捻じ込み（深い方が良い）ナットの締め代を残した状態で、下穴の周辺に防水のためにシリコンコーキングを注入しＤのゴムパッキンを差込みＣのステンレス座金・Ｂのステンレスナットの順で軽く締め付け、ナット全体をナットの緩み止めと防水の目的でＪのようにシリコンコーキングを塗り被せる。
次に防水と接着のためＥの半丸瓦の継ぎ目やＦのノシ瓦の重なりや継ぎ目全てにＫのシリコンコーキングを防水・接着・見栄えを考慮しながら注入する。
次に棟の重さを支えるために一段目のノシ瓦と地瓦の隙間（一番狭い部分）に、Ｌのシリコンコーキング（弾力性を保持させるため）で十分な量を団子状に。注入
【実施例】
【０００７】    以下、添付図面に従って一実施例を説明する。図１は棟杭（瓦屋根棟落下防止用）を打ち込んだ屋根の棟部分の断面図、図２は棟杭（瓦屋根棟落下防止用）を等間隔（１ｍ程度）で打ち込んでＫやＬのシリコンコーキングを注入途中の正面図である。
【産業上の利用可能性】
【００００】
【図面の簡単な説明】
【００１０】
【図１】本考案の棟杭の一実施例を示す断面図。
【図２】本考案の棟杭の一実施例を示す、シリコンコーキング注入途中の正面図。
【符号の説明】
【００１１】  Ａ  ステンレスなどの寸切りボルト
Ｂ  ステンレスなどのナット
Ｃ  ステンレスなどの座金
Ｄ  ゴムパッキン
Ｅ  半丸瓦
Ｆ  ノシ瓦
Ｇ  面戸
Ｈ  地瓦
Ｉ  木製棟木
Ｊ  シリコン塗り被せ部（ナットの頭塗り被せ）
Ｋ  シリコン注入部（重なり部ひも状注入）
Ｌ  シリコン注入部（隙間団子状注入）
【図１】
0003118994.tif 000003
【図２】
0003118994.tif 000004
【手続補正書】
【提出日】平成17年11月3日(2005.11.3)
【手続補正１】
【補正対象書類名】実用新案登録請求の範囲
【補正対象項目名】全文
【補正方法】変更
【補正の内容】
【実用新案登録請求の範囲】
【請求項１】
「瓦葺屋根の棟本体において」
（１）金属製等の杭を棟瓦に貫通させ構造体の棟木に打込む
（２）弾性シーリングで地瓦と棟瓦を一体化
以上の構成からなる棟杭。
(57)【要約】      （修正有）【課題】運搬時にキャリーシステムが衝突による故障を起こしにくく、手で持ち運ぶ時に脚に当たらず、持ち運び易く見栄えのよい革トランクケースの提供。【解決手段】キャリー本体、上部取手、下部車輪がケース内に収納できる構造とする。【選択図】図２
0003118997.tif 000002
【実用新案登録請求の範囲】
【請求項１】
豚革トランクケースのケースを引く機能（キャリーシステム）をケースに内装する事により運搬時に外部から直接衝撃を避け、手で持ち運びする場合脚に当たらず持ち運び易く見栄えを良くした豚革トランクケース。。
【考案の詳細な説明】
【技術分野】
【０００１】  本考案は、革トラベルケースを引く為の車輪付き台車（キャリーシステム）をケース本体内部に装着したものである。
【背景技術】
【０００２】  キャリーシステムを今まで通り外部に装着した場合、運搬時荷物の相互衝突で受ける衝撃によるアルミパイプの凹みや歪曲が生じ、機能を維持出来ない事がある。
【考案の開示】
【考案が解決しようとす課題】
【０００３】  外部にキャリーシステムを装着したのでは荷物同士の衝突でパイプに凹みや折れ曲がる現象が生じ本来の機能を維持出来ない可能性がある。従ってキャリーシステムを革トラベルケース本体内部に装着する事により、外部から受ける衝撃を内部に位置する事で緩和され衝突時で生じるパイプの凹み、歪曲の故障原因を防止。前述の欠点を解決しようとするものである。
【課題を解決するための手段】
【０００４】  本考案は、ケース内部にキャリーシステムを装着する事で荷物同士の衝突で生じる凹み・歪曲が原因で機能が制限もしくは維持出来ない問題を解決している。
【考案の効果】
【０００５】  上述の様に、本考案のケース内部に装着されたキャリーシステムは直接の衝撃を避け、旅行時の運搬で生じる重圧による破損、荷物同士の衝突による凹みや歪曲の故障にも防止効果がある。
【考案を実施するための最良の形態】
【０００６】  ケース内に装着してもキャリーシステムが機能出来るよう取手（上部）と車輪（底部）を各収納できる空間を設計開発し革トランクケース本体にはリジッドペーパー（鋼板紙）を使用してする事でキャリーシステムの外因による故障を防ぐ事にに対して補強できる。
【実施例】
【０００７】  以下、添付図面に従って一実施例を説明する。１は革トラベルケースの芯材リジッドペーパー、２はキャリーシステム本体、３はキャリーシステム上部取手収納部分、４はキャリーシステム下部車輪収納スペース
【図面の簡単な説明】
【０００８】
【図１】本考案のキャリーシステムを内装する革トラベルキャリーケースである。
【図２】キャリーシステムを収納する革トランクケースの上下面図、断面図。
【符合の説明】
【０００９】  １  革トランクケースに使用するリジッドペーパー（鋼板紙）
２  革トランクケースを引く為のキャリーシステム本体
３  キャリーシステム上部取手
４  キャリーシステム下部車輪
【図１】
0003118997.tif 000003
【図２】
0003118997.tif 000004
【手続補正書】
【提出日】平成17年11月1日(2005.11.1)
【手続補正１】
【補正対象書類名】実用新案登録請求の範囲
【補正対象項目名】全文
【補正方法】変更
【補正の内容】
【実用新案登録請求の範囲】
【請求項１】
革トランクケースのケースを引く車輪付き台車（キャリーシステム）をケース本体内部に装着により運搬時に外部から直接衝撃を避け、手で持ち運びする場合脚に当たらず持ち運び易く見栄えを良くした革トランクケース。
(57)【要約】      （修正有）【課題】背広、ジャケットの下に着るネクタイのいらないシャツ、ブラウスを提供する。【解決手段】シャツ、ジャケットは仕事上着る事が多く前立てに模様、色を張り合わす事により夏は地球温暖化、クールビズでノーネクタイが可能である。台衿（後ろ衿）は白いシャツだと特に汚れが目立ちやすいし、ポケットもネクタイに合わせてハンカチを選ばなくても、前立の１部の模様、色を使う事でシャツ、ブラウスだけでも、おしゃれを楽しむことができる。【選択図】なし【実用新案登録請求の範囲】
【請求項１】
シャツ、ブラウスの前立に模様や色を染めてつける事でネクタイの代わりになり、台衿、ポケットにも前立の模様や色の布の一部を張り合わせたシャツ、ブラウス。
【考案の詳細な説明】
【０００１】背広、ジャケットの下に着るネクタイのいらないシャツ、ブラウス、またシャツ、ブラウスだけに関するものである。
【背景技術】
【０００２】シャツ、ブラウスは通常ネクタイやスカーフ、ストールなどを併用して着用することが多い。
［考案開示］
【考案が解決しようとする課題】
【０００３】シャツ、ブラウスは仕事上着ることが多くそれだけならデザイン性にかける。
［問題を解決するための手段］
【０００４】シャツ、ブラウスの前立（ボタンホール）に模様、色を染め張り合わせ、台衿（後衿）も白い衿だと汚れが目立ちやすいので、前立の模様、色の一部を張り合わせ、ポケットもネクタイに合わせて背広、ジャケット、のポケットにハンカチを入れなくていい。
【考案の効果】
【０００５】シャツ、ブラウスはネクタイ、スカーフ、ストールなどを身に着けてお洒落をするが、このシャツ、ブラウスだけでもトータルファッションが楽しめる。
【考案を実施するための最良の形態】
【０００６】以下図面にしたがって本考案を詳細に説明する。
【図面の簡単な説明】
【０００７】
0003118996.tif 000002
【符号の説明】
▲１▼シャツ、ブラウス
▲２▼前立（ボタンホール）
▲３▼台衿（後衿）
▲４▼ポケット
【０００８】▲１▼はシャツ、ブラウス。
【０００９】▲２▼は前立（ボタンホール）でその部分に模様、色を染めて張り合わす。
【００１０】▲３▼は台衿（後衿）で前立の模様、色の一部を染めて台衿に張り合わす。
【００１１】▲４▼はポケットの部分に前立の模様、色の一部分を染めて張り合わす。
0003118996.tif 000003
【手続補正書】
【提出日】平成17年11月16日(2005.11.16)
【手続補正１】
【補正対象書類名】明細書
【補正対象項目名】０００７
【補正方法】変更
【補正の内容】
【０００７】
【図１】本考案のシャツ、ブラウスの正面図
【図２】本考案のシャツ、ブラウスの正面図
【手続補正２】
【補正対象書類名】図面
【補正対象項目名】全図
【補正方法】追加
【補正の内容】
【図１】
0003118996.tif 000004
【図２】
0003118996.tif 000005
(57)【要約】      （修正有）【課題】ひざが痛くて正座が出来ない、ひざまずけない、又はしゃがむ事もままならない人でも腰を掛けたまま陰部や肛門を洗え汚れた湯水はすみやかに流れる。【解決手段】風呂椅子全体の形状は円筒形である。座面１は円型の中をくりぬいた形である。風呂椅子の脚２は円筒形の下部２ヶ所の溝３を湯水が流れ出る道として開口する。風呂椅子の材質は、木、ポリエチレン、アクリルを使用。床に接する足の部分４には滑り止めにゴム製品を使用する。腰を掛ける方法も簡単であり、前後左右の区別なく使える。【選択図】図１
0003118999.tif 000002
【実用新案登録請求の範囲】
【請求項１】
風呂椅子全体の形状は円筒形である。座面は円型の中をくりぬいた形である。風呂椅子の脚は円筒形の下部２ヶ所を湯水が流れ出る道として開口する。風呂椅子の材質は、木、ポリエチレン、アクリルを使用。床に接する脚の部分には滑り止めにゴム製品を使用する。
腰を掛ける方法も簡単であり、前後左右の区別なく使える。
【考案の詳細な説明】
【考案の説明】
（技術分野１）本考案は風呂椅子に関するものである
（背景分野１）入浴前、身体の陰部や肛門を洗って清潔にします。
その時、腰を掛けたまま容易に流せます。
考案の椅子は、前・横・後の区別が無くどの様な座り方をしても使用できる。
従来の風呂椅子は、座面の中央に小さな穴があり湯水を逃がすようになっているが、本考案椅子は全体に座面を大きく円形に開けている。
〔考案の開示〕
（考案が解決しようとする課題）
浴槽に入る前に陰部や肛門等を洗い清潔にする
（考案が解決するための手段）
本考案の風呂椅子を使って清潔にする
（考案の効果）
浴槽に入る前に陰部や肛門等を洗った時の汚れた湯水はすぐに流れ落ち、衛生的である。
（考案を実施する為の最良の形態）
風呂椅子全体の形状が円筒形でかつ、座面を丸くくりぬいた形だから風呂椅子に座って陰部、肛門を洗う時も、全く邪魔にならずに利用できる。
（実施例）
本考案椅子の高さや大きさは、Ｓ・Ｍ・Ｌの３種（段階別）に作ってあれば万人が使用できる。
【図面の簡単な説明】（図１）    本考案の立体図
（図２）    本考案の真上から見た図
（図３）    本考案の底から見た図
（図４）    本考案の真横から見た図
【符号の説明】
▲１▼      本考案の座面
▲２▼      本考案の円筒形の脚
▲３▼      湯水が流出する溝
▲４▼      本考案の脚の底の滑り止めのゴム製品
▲５▼      本考案の座面
▲６▼      座面の内壁
▲７▼      座面の外壁
▲８▼      本考案の脚の部分からの湯水が流出する溝
▲９▼      本考案の脚の底の滑り止めのゴム製品
▲１０▼    本考案の座面
▲１１▼    本考案の円筒形の脚
▲１２▼    本考案の脚の底の滑り止めのゴム製品
▲１３▼    本考案の脚の部分からの湯水が流出する溝
【図１】
0003118999.tif 000003
【図２】
0003118999.tif 000004
【図３】
0003118999.tif 000005
【図４】
0003118999.tif 000006
【手続補正書】
【提出日】平成17年10月28日(2005.10.28)
【手続補正１】
【補正対象書類名】実用新案登録請求の範囲
【補正対象項目名】全文
【補正方法】変更
【補正の内容】
【実用新案登録請求の範囲】
【請求項１】
「風呂椅子において、（１）風呂椅子において、風呂椅子全体の形状は円筒形。（２）風呂椅子において、座面は円型の中をくりぬいた形。（３）風呂椅子において、風呂椅子の脚は円筒形の下部２ヶ所を湯水が流れ出る道として開口。（４）風呂椅子において、風呂椅子の材質は、木、ポリプロピレン、アクリル。（５）風呂椅子において、床に接する脚の部分にはエラストマー樹脂を使用。以上の構成からなる風呂椅子。」
(57)【要約】      （修正有）【課題】計画性、目標、自覚等を常に無意識のうちに憶えさせるセルフコントロール機能をもたせる。【解決手段】ラジオ・コントロール時計と方針器を組み合わせ、方向感覚と時間感覚が衰えているものを目覚めさせる機能をもち平成年号と西暦の同時表示を行うようにし、本人、関係者の年齢、記念日及び業務などのスケジュールを表示する。【選択図】図１
0003118998.tif 000002
【実用新案登録請求の範囲】
【請求項１】
ラジオ・コントロール・時計と方針器（地磁気）を組合せ、方向感覚＊時間感覚が衰えているものを、目覚めさせる機能
【請求項２】
上記、製品に平成年号と、西暦の同時表示を行う
（歴史、時代、国際感覚に目覚めさせる機能）
【請求項３】
上記製品に、本人、関係者の年齢、記念日及び業務等のスケジュールを表示する
（計画性、目標、自覚等を常に無意識の内に憶えさせるセルフコントロール機能）
【考案の詳細な説明】
【技術の分野】
【０００１】ラジオ・コントロール・時計と方針器（地磁気）と情報処理（パソコン）を組合せる
【背景技術】
【０００２】ファクトリー・オートメイション＋センサー開発技術
【考案の開示】
【考案が解決しようとする課題】
【０００３】計画性、目標、自覚等を常に無意識の内に憶えさせるセルフコントロール機能
【課題を解決するための手段】
【０００４】ラジオ・コントロール・時計と方針器（地磁気）を組合せ、方向感覚＊時間感覚が衰えているものを、目覚めさせる機能
上記、製品に平成年号と、西暦の同時表示を行う
（歴史、時代、国際感覚に目覚めさせる機能）
上記製品に、本人、関係者の年齢、記念日及び業務等のスケジュールを表示する
【図１】
0003118998.tif 000003
【手続補正書】
【提出日】平成17年10月26日(2005.10.26)
【手続補正１】
【補正対象書類名】実用新案登録請求の範囲
【補正対象項目名】全文
【補正方法】変更
【補正の内容】
【実用新案登録請求の範囲】
【請求項１】
ラジオ・コントロール・時計と方針器を組合せた、多機能時計
【請求項２】
平成年号と、西暦の同時表示を特徴とする請求項１記載の多機能時計
【請求項３】
本人、関係者の年齢、記念日及び業務等のスケジュールの同時表示を特徴とする請求項１記載の多機能時計
【手続補正２】
【補正対象書類名】明細書
【補正対象項目名】全文
【補正方法】変更
【補正の内容】
【考案の詳細な説明】
【技術分野】
【０００１】ラジオ・コントロール時計と方針器と情報処理を組合せる
【背景技術】
【０００２】ファクトリー・オートメイション＋センサー開発技術
【考案の開示】
【考案が解決しようとする課題】
【０００３】計画性、目標、自覚等を常に無意識の内に憶えさせるセルフコントロール機能【０００４】ラジオ・コントロール時計と方針器を組合せ、方向感覚＊時間感覚が衰えているものを、目覚めさせる機能
上記製品に、平成年号と、西暦の同時表示を行う
上記製品に、本人、関係者の年齢、記念日及び業務等のスケジュールを表示する
0003118998.tif 000004
(57)【要約】      （修正有）【課題】取っ手付きモップを一般家庭で使われているタオル、雑巾を使えるようにし、かつ、着脱が簡単で施工者にも負担を小さくする。【解決手段】一般家庭で使われているタオル等を雑巾として使う場合、ベース（１）にタオル等を巻きつけホルダー（２）で押える事により作業効率がアップできる。腰痛の予防にも大変よい、使用済みの雑巾はまとめて洗浄する、取っ手付き雑巾である。【選択図】図１
0003119000.tif 000002
【実用新案登録請求の範囲】
【請求項１】
家庭用タオルを使用でき使用し汚れた雑巾の着脱が到って容易に行なえる取っ手付き雑巾。
【考案の詳細な説明】
【考案の詳細な説明】
【技術分野】
【０００１】本考案は一般家庭にあるタオル又は雑巾を有効に使える取っ手付き雑巾である。
【背景技術】
【０００２】従来のモップは、専用の替え布、糸、又はスポンジを使用していた。
一般家庭で使っているタオル又は布切れを使えるホルダーがなかった。
【考案が解決しょうとする課題】
【０００３】従来のモップでは取っ手がじゃまでベースにタオル等がうまく巻きつけられなかった。
【課題を解決する為の手段】
【０００４】上記問題点を解決する為に、ベースにウエットタオルまたはドライタオルを巻きつけ装着する為のベースを図面（１）ごとく考案した。取っ手（３）の先端部は自由自在角度にして、ベース（１）が常に床面に対して接触面を最大になるように考案した。
【考案を実施するための最良の形態】
【０００５】本考案はタオルを巻きつけたホルダーとベースが一体となり取っ手をつける事により角度が自由に替えて使うことができる。
【考案の効果】
【０００６】この事により、汚れた床面のお掃除が簡単になり広い体育館等のお掃除も時間の短縮、施工者の腰痛予防等に効果も効率も格段にアップした。
また、タオル、雑巾等を複数用意する事により階段などのお掃除に重い水の入ったバケツを持ち歩かなくても事がすむ。
【０００７】この改良により汚れたタオル等はバケツですすぎ、または，洗濯機でまとめ洗いもできる。着脱が到って簡単にできる。
【図面の簡単な説明】
【０００８】
【図１】  本考案の斜視図
【０００９】
【図２】  Ａは本考案ベースの側面図  Ｂはホルダーの斜面図  Ｃは取っ手の斜面図
【符号の説明】
【００１０】１  はベース（台座）
２  はホルダー（留板）
３  はハンドル（取っ手）
【図１】
0003119000.tif 000003
【図２】
0003119000.tif 000004
0003119000.tif 000005
【手続補正書】
【提出日】平成17年10月24日(2005.10.24)
【手続補正１】
【補正対象書類名】実用新案登録請求の範囲
【補正対象項目名】全文
【補正方法】変更
【補正の内容】
【実用新案登録請求の範囲】
【請求項１】
ベースと取っ手ホルダーを組み合わせたぞうきんの着脱式取っ手付き雑布装置。
【手続補正２】
【補正対象書類名】明細書
【補正対象項目名】全文
【補正方法】変更
【補正の内容】
【考案の詳細な説明】
【考案の詳細な説明】
【技術分野】
【０００１】本考案は一般家庭にあるタオル又は布切れ（任意）をベースに巻き装着し、取っ手付きホルダーを組み合わせた雑巾装置。
【背景技術】
【０００２】従来のモップは、専用の替え布、糸、又はスポンジを使用していた。
従来のモップでは、払拭部を清潔に保つには常に水にて濯がなければならなかった。
一般家庭で使っているタオル又は布切れを使えるホルダーがなかった。
【考案が解決しょうとする課題】
【０００３】従来のモップでは、清掃作業をスムーズの進める為には清潔な払拭部の確保がかかせなかった、その為のすすぎ水の確保及び持ち運びが大変だった。
【課題を解決する為の手段】
【０００４】上記問題点を解決する為にに雑巾をまとめて濯ぎスペアを用意する事ができベースにウエットタオルまたはドライタオルを包み装着し、固定するベースを組み
【考案の効果】
見合せた装置。取っ手の先端部は自由自在角度にして、払拭部が常に床面に対して接触面を最大になるように考案した。
【考案を実施するための最良の形態】
【０００５】この事により、汚れた床面のお掃除が簡単になり広い体育館等のお掃除も時間の短縮、又、階段の掃除にも施工者の腰痛予防等に効果も効率も格段にアップした装置を提供する。【０００６】タオル、雑巾（任意の布切れ）等を複数用意する事によりお掃除に重い水の入ったバケツを持ち歩かなくても清掃作業を行える条件を提供することである。【０００７】汚れたタオル、雑巾は清掃作業終了後に別の場所でまとめておこなえばよい。
【図面の簡単な説明】
【０００８】
【図１】本考案に係るベースと取っ手付きホルダーを組み合わせた、雑巾の着脱式装置を示す斜視図
【符号の説明】
【０００９】    １１    柄
１２    ホルダー
１３    ベース
【手続補正３】
【補正対象書類名】図面
【補正対象項目名】全図
【補正方法】変更
【補正の内容】
【図１】
0003119000.tif 000006
(57)【要約】      （修正有）【課題】より有効なボーフラ退治器の提供。【解決手段】電動ポンプＡの出水管に網Ｄを有するボーフラ退治器。【選択図】図１
0003118995.tif 000002
【実用新案登録請求の範囲】
〔請求項の数〕        １
片方の口には吸水管をつけ、他方の口には、出口に網を有する出水管をつけた電動ポンブのボーフラ退治器。
【考案の詳細な説明】
【産業上の利用分野】
環境、衛生に関するものである。
〔従来の技術〕
【０００１】      蚊は元来嫌なものである。刺されると痒いし、又マラリヤ等の伝染病の媒介にもなったりして困るものである。
そこで古来除虫菊や殺虫剤、蚊取り線香等が用いられたり、又扇子や扇風機、網戸等も用いられてきたのである。又幼虫のボーフラには薬剤散布等がおこなわれてきた。又我々が先に工夫してきた水中ポンプを用いたボーフラ退治器も相当の効果をあげてきた。
〔本考案が解決しようとする課題〕
【０００２】      我々の考案したボーフラ退治器は相当の効果をあげてきたが、少し深い水溜りでは、移動するのが中々困難であるので、よい工夫はないかと思われていた。
〔課題を解決する為の手段〕
【０００３】      そこで電動ポンプを用いる事にしたのである。即ち水中ポンプの代わりに電動ポンプを用い、これを車に乗せて移動する。そしてポンプの吸水管の先を水中にいれ、又その出水管の先に網をつけるのである。水中にいたボーフラは水と共にポンプの吸水管の端からポンプの中に入り、出水口から外に吐き出されるのであるが、出水口の網を通って出ていくのである。そこで水は網を通り、ボーフラは網の中にのこるのである。この網の中のボーフラを取り出して捨てることを繰り返してボーフラの除去を計るのである。
〔実施例〕
【０００４】      先ず電動ポンプの吸入孔に連結した管の先端をボーフラを含んだ深い水溜りの中にいれるのである。そしてポンプの出水口の先端に網をつけるのである。そして電源を入れればボーフラを含んだ水はポンプの吸水口よりポンプの中に入り又出水口より外に出ていくのであるが、出水口の所につけた網を通って出ていくのである。その時ボーフラは網の所で濾過されて網の中に残るのである。これを取り出してすてるのである。
〔考案の効果〕
【０００５】      蚊の虫害は困ったものであるが、本考案のボーフラ退治器を用いれば、相当の効果を得る事が出来るのである。構造は簡単、製作は容易、安価である。
【図面の簡単な説明】
【０００６】      〔図１〕・・・・・・斜位図
〔図２〕・・・・・・正面図
〔図３〕・・・・・・側面図
〔図４〕・・・・・・水平面図
【符号の説明】
Ａ・・・・・・電動ポンプ
Ｂ・・・・・・吸水管
Ｃ・・・・・・出水管
Ｄ・・・・・・網
Ｅ・・・・・・外側の箱
【図１】
0003118995.tif 000003
【図２】
0003118995.tif 000004
【図３】
0003118995.tif 000005
【図４】
0003118995.tif 000006
【手続補正書】
【提出日】平成17年10月3日(2005.10.3)
【手続補正１】
【補正対象書類名】実用新案登録請求の範囲
【補正対象項目名】全文
【補正方法】変更
【補正の内容】
【実用新案登録請求の範囲】
【請求項１】
片方の口には吸水管を取り付け他方の口には、出口に網を有する出水管を付けた電動ポンプのボーフラ退治器。
(57)【要約】【課題】徐々に内部から洗剤がしみ出してきて、長い時間に亘って洗浄でき、使用する洗剤量を節約することができる洗浄用スポンジを提供するものである。【解決手段】上面に直方体状をなすポリウレタンフォーム２が設けられ、この底面にナイロン不織布３が一体に接着され、前記ポリウレタンフォーム２の上面に、その長手方向に沿って内側に達する直線用のスリット４を形成し、このスリット４を開いて間隙６から、内部に洗剤８を含浸させるようにしたものである。【選択図】  図２
0003118960.tif 000002
【実用新案登録請求の範囲】
【請求項１】
スポンジの表面から内側に達するスリットを形成し、このスリット部分を開いて、ここからスポンジの内部に洗剤を含浸させるようにしたことを特徴とする洗浄用スポンジ。
【請求項２】
スポンジの表面から内側に達するスリットを十字状に形成したこと特徴とする請求項１記載の洗浄用スポンジ。
【考案の詳細な説明】
【技術分野】
【０００１】
本考案は、洗剤の保持性を高めた洗浄用スポンジに関するものである。
【背景技術】
【０００２】
一般に、食事の後の皿や茶碗などの食器や、調理する時に使用した鍋やフライパンなどの調理器具を洗う場合、洗浄用スポンジの表面に、食器洗い用の洗剤を付けて、食器や調理器具の表面を擦って水で洗い流しながら洗浄している。
【０００３】
しかしながらスポンジは表面が多孔質で洗剤を表面にしみ込ませることはできるが、たえず水道の水を流したり、水を付けながら使用するので、表面部分に含浸されている洗剤が次第に流されて、洗浄効果が短時間で無くなってしまう問題があった。
【考案の開示】
【考案が解決しようとする課題】
【０００４】
本考案は上記問題を改善し、徐々に内部から洗剤がしみ出してきて、長い時間に亘って洗浄でき、使用する洗剤量を節約することができる洗浄用スポンジを提供するものである。
【課題を解決するための手段】
【０００５】
本考案の請求項１記載の洗浄用スポンジは、スポンジの表面から内側に達するスリットを形成し、このスリット部分を開いて、ここからスポンジの内部に洗剤を含浸させるようにしたことを特徴とするものである。
【０００６】
本考案の請求項２記載の洗浄用スポンジは、スポンジの表面から内側に達するスリットを十字状に形成したことを特徴とするものである。
【考案の効果】
【０００７】
本考案に係る請求項１記載の洗浄用スポンジによれば、スリット部分を開いてここからスポンジの内部に洗剤を含浸させたので、洗浄する時に、洗剤はスポンジの内部から徐々に表面にしみ出してきて、長時間にわたって洗浄効果を保持することができ、使用する洗剤量を大幅に節約することができる。
【０００８】
また請求項２記載の洗浄用スポンジによれば、スリットを十字状に形成したので、スポンジを縦横方向どちらに湾曲させても間隙が形成され、洗剤の注入が容易である。
【考案を実施するための最良の形態】
【０００９】
以下本考案の実施の一形態を図１ないし図３を参照して詳細に説明する。図において１は洗浄用スポンジを示すもので、上面に直方体状をなすポリウレタンフォーム２が設けられ、この底面にナイロン不織布３が一体に接着されている。このポリウレタンフォーム２の上面に、その長手方向に沿って内側に達する直線状のスリット４が形成されている。
【００１０】
上記構成の洗浄用スポンジ１は、図２に示すように、手５に持って人さし指や中指で、底面のナイロン不織布３の中央部分を押し上げると、洗浄用スポンジ１がやや湾曲して、ポリウレタンフォーム２の表面に形成したスリット４が大きく広がって間隙６が形成される。この状態で、台所用洗剤容器７の先から洗剤８を、間隙６の間に注いでから、スリット４を閉じる。スリット４はポリウレタンフォーム２の長手方向に沿って内側に達して形成されているので、洗剤８が多孔質の内部にしみ込んだ状態となる。このようにして図３に示すように水を付けながら皿９の表面をこすると、洗剤８がしみ出してきて泡立ち、皿９の表面の汚れを除去して洗浄することができる。
【００１１】
このように洗剤８はポリウレタンフォーム２の内部から徐々に表面にしみ出してくるので、長時間にわたって洗浄効果を保持することができ、従来の表面にだけ洗剤を含浸させる洗浄用スポンジに比べて５倍程度の食器を洗うことができる。つまり、使用する洗剤８を大幅に節約することができ、極めて経済的である。
【００１２】
図４は本考案の他の実施の形態を示すもので、ポリウレタンフォーム２の上面に、その長手方向に沿って内側に達する直線状のスリット４を十字状に形成したものである。これはポリウレタンフォーム２を縦横方向どちらに湾曲させても間隙６を形成することができ、洗剤８の注入が容易である。
【００１３】
なお上記説明ではポリウレタンフォーム２とナイロン不織布３を一体に形成したものについて説明したが、ポリウレタンフォーム２だけで形成された洗浄用スポンジにも適用することができる。またスポンジはポリウレタンフォームに限らず他の発泡プラスチックでも良い。
【図面の簡単な説明】
【００１４】
【図１】本考案の実施の一形態による洗浄用スポンジの斜視図である。
【図２】図１の洗浄用スポンジのスリットを開いて間隙に洗剤を注入している状態を示す斜視図である。
【図３】図２の洗浄用スポンジを用いて皿を洗浄している状態を示す正面図である。
【図４】本考案の他の実施の形態による十字状のスリットを形成した洗浄用スポンジを示す斜視図である。
【符号の説明】
【００１５】
１  洗浄用スポンジ                                          
２  ポリウレタンフォーム                                    
３  ナイロン不織布                                          
４  スリット                                                
５  手                                                      
６  間隙                                                    
７  台所用洗剤容器                                          
８  洗剤                                                    
９  皿                                                      
【図１】
0003118960.tif 000003
【図２】
0003118960.tif 000004
【図３】
0003118960.tif 000005
【図４】
0003118960.tif 000006
(57)【要約】【課題】バストアップ可能なブラジャー構造を提供する。【解決手段】ブラジャーの構造は、表布層と裏地からなり、その間に、二つのカップと二つのワイヤーを有する。表布層と裏地両側に、パネルを有する。パネルは、組設部を有し、組設部上に留め金具を有する。組設部は、調整片体に結合でき、調整片体は、組設部に対応する受け口を有し、留め金具と結合する。二つの調整片体の一端は、ホックと結合体を有し、着用時に係合させる。調整片体により、バストアップの機能が作用する。【選択図】図１
0003118931.tif 000002
【実用新案登録請求の範囲】
【請求項１】
寄せて上げるブラジャー構造であって、表布層と裏地からなり、その間に、二つのカップと二つのワイヤーを有する共に、前記表布層と裏地両側に、パネルを有し、その特徴は、
前記パネルは、組設部を有し、前記組設部上に留め金具を有して、調整片体に結合でき、前記調整片体は、前記組設部に対応する受け口を有し、前記留め金具と結合し、又、二つの調整片体の一端は、ホックと結合体を有し、着用時に係合させ、前記調整片体により、バストアップの機能が作用することを特徴とするブラジャー構造。
【請求項２】
前記の二つの調整片体上方は、ストラップを連結することが出来、前記ストラップの一端は、フックで、前記パネルの結合部と結合することを特徴とする請求項１に記載のブラジャー構造。
【請求項３】
前記調整片体がブラジャーから分離する時、ブラジャーはストラップレスの着用形態にできることを特徴とする請求項１に記載のブラジャー構造。
【請求項４】
前記ブラジャーの留め金具は、孔部を有し、前記孔部は、汗水を排出する作用があることを特徴とする請求項１に記載のブラジャー構造。
【考案の詳細な説明】
【技術分野】
【０００１】
本考案は、バストを寄せて上げるブラジャーの構造に関するものであって、特に、ブラジャーは、二つの調整片体を結合し、調整片体の結合により、バストを寄せて上げ、美しい着用効果をもたらすブラジャーに関するものである。
【背景技術】
【０００２】
台湾特許第８９２１５００２号の隠蔵式ワイヤーブラの改良構造は、主に、ワイヤーを有するカップ、適当に裁断された弾性布を組接してなるブラジャーの裏地、裏地と同形状の表布からなり、表布は、裏地とカップを覆蓋すると共に、上端縁が連結し、裏地と表布を、背片を延伸する一体成型のブラジャーに形成する。ブラジャーの外観は、ワイヤーが見えないので、シームレス効果を呈現する
【０００３】
しかし、公知のブラジャー構造は、バストを集中させ、持ち上げる効果や、製造の簡潔化、コスト抑制、生産率の向上を達成するなどの長所があるが、ブラジャーは、一体成型なので、長期に渡って使用、洗浄する過程で、カップが変形し、その効果が提供できなくなるという欠点がある。
【特許文献１】台湾特許第８９２１５００２号
【考案の開示】
【考案が解決しようとする課題】
【０００４】
本考案は、上述の欠点を改善するブラジャー構造を提供することを目的とする。
【課題を解決するための手段】
【０００５】
本考案のブラジャー構造は、表布層と裏地からなり、その間に、二つのカップと二つのワイヤーを有する。表布層と裏地両側に、パネルを有する。パネルは、組設部を有し、組設部上に留め金具を有する。組設部は、調整片体に結合でき、調整片体は、組設部に対応する受け口を有し、留め金具と結合する。二つの調整片体の一端は、ホックと結合体を有し、着用時に係合させる。調整片体により、バストアップの機能が作用し、美しい着用性を提供する。
【考案の効果】
【０００６】
本考案のブラジャー構造は、調整片体のホックと結合体の係合により、カップの集中、上昇効果が得られ、着用時にバストが美しく整えられる。また、調整片体は、必要に応じて、ブラジャーと結合、或いは、分離使用が可能なので、ストラップがあり、なしの形態も可能で、美しい着用形態、多用途であるなどの長所が得られる。
【考案を実施するための最良の形態】
【０００７】
図１は、本考案の組み立て分解図で、図２は、本考案の組み立て外観図である。本考案のブラジャー１の構造は、表布層１０と裏地２０からなり、表布層１０と裏地２０間に、二つのカップ３０と二つのワイヤー４０を有する。表布層１０と裏地２０両側に、パネル５０を有する。ブラジャー１のパネル５０は、組設部５１を有し、組設部５１上に留め金具５１１を有する。組設部５１は、調整片体６０に結合でき、調整片体６０は、組設部５１に対応する受け口６１を有し、留め金具５１１と結合する（図２−１部分で表示）。二つの調整片体６０の一端は、ホック６０１と結合体６０２を有し、着用時に係合させる。調整片体６０上方には、ストラップ７０を有し、ストラップ７０一端はフック７０１で、パネル５０の結合部５０１と結合する。調整片体６０により、バストアップの機能が作用する。
【０００８】
図３は、本考案の実施例を示す図、図４は使用状態を示す図である。着用者がブラジャー１を着用する時（図３で示される）、受け口６１と留め金具５１１を結合し、ホック６０１と結合体６０２を係合させれば、図４で示されるような、寄せて上げる効果が得られる。
【０００９】
図５は、本考案のもう一つの実施例の使用状態図、図６は、局部拡大図である。調整片体６０がブラジャー１から分離する時、ブラジャー１は、ストラップレスの着用形態になり、留め金具５１１は、孔部３を有し、孔部３は、汗水４を排出する作用がある。
【００１０】
上述のように、本考案の構造は、着用時に、以下のような効果を有する。ブラジャー１は、受け口６１と留め金具５１１により、調整片体６０を結合し、更に、調整片体６０のホック６０１と結合体６０２の係合により、カップの集中、上昇効果が得られ、着用時にバストが美しく整えられる。また、調整片体６０は、必要に応じて、ブラジャー１と結合、或いは、分離使用が可能なので、ストラップ７０があり、なしの形態も可能で、美しい着用形態、多用途であるブラジャー構造が提供される。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】本考案の組み合わせ分解図である。
【図２】本考案の組み合わせ外観図である。
【図３】本考案の実施例を示す図である。
【図４】本考案の使用状態を示す図である。
【図５】本考案のもう一つの実施例の使用状態を示す図である。
【図６】図５の局部拡大図である。
【符号の説明】
【００１３】
１    ブラジャー
１０  表布層
２０  裏地
３０  カップ
４０  ワイヤー
５０  パネル
５０１  結合部
５１  組設部
５１１  留め金具
６０  調整片体
６１  受け口
６０１  ホック
６０２  結合体
７０  ストラップ
７０１  フック
３  孔部
４  汗水
【図１】
0003118931.tif 000003
【図２】
0003118931.tif 000004
【図３】
0003118931.tif 000005
【図４】
0003118931.tif 000006
【図５】
0003118931.tif 000007
【図６】
0003118931.tif 000008